(57)【要約】【課題】ボイラ等の燃焼制御において、副たる燃料だけで蒸気需要をまかなえる場合に、高価な主たる燃料を使用することなく安価な副たる燃料を有効に使用することができる燃焼制御方法及び装置を提供する。【解決手段】主たる燃料を燃焼させて起動し、主たる燃料と副たる燃料を燃焼させるボイラ５０に設置された燃焼装置の燃焼状態を制御する方法において、主たる燃料の専焼（第１モード）、主たる燃料及び副たる燃料の混焼（第２モード）、並びに副たる燃料の専焼（第３モード）の少なくとも３つの燃焼モードを制御盤６６のモード切換スイッチ６８により切り換えること等により燃焼制御を行うように構成する。【選択図】  図１
2015148377.tif 000002
【特許請求の範囲】
【請求項１】
主たる燃料を燃焼させて起動し、主たる燃料と副たる燃料を燃焼させる燃焼装置の燃焼状態を制御する方法において、主たる燃料の専焼（第１モード）、主たる燃料及び副たる燃料の混焼（第２モード）、並びに副たる燃料の専焼（第３モード）の少なくとも３つの燃焼モードの切換による燃焼制御を行うことを特徴とする燃焼制御方法。
【請求項２】
第１モードから第２モードへ切り換える際は、副たる燃料が存在する場合に、副たる燃料を供給して主たる燃料との混焼に燃焼を継続しながら切り換え、第２モードから第１モードへ切り換える際は、副たる燃料が存在しなくなった場合に、主たる燃料の専焼に燃焼を継続しながら切り換える請求項１記載の燃焼制御方法。
【請求項３】
第２モードから第３モードへ切り換える際は、副たる燃料だけで制御が可能な状態になった場合に、主たる燃料を遮断して副たる燃料の専焼に燃焼を継続しながら切り換え、第３モードから第２モードへ切り換える際は、副たる燃料だけで制御が不可能な状態になった場合に、主たる燃料を供給して副たる燃料との混焼に燃焼を継続しながら切り換える請求項１又は２記載の燃焼制御方法。
【請求項４】
燃焼モードを切り換える際は、主たる燃料を漸増させながら副たる燃料を漸減させたり、主たる燃料を漸減させながら副たる燃料を漸増させたりして、熱量の変化が連続的になるようにした請求項１、２又は３記載の燃焼制御方法。
【請求項５】
副たる燃料がｎ（ｎ≧２）種類ある場合に、主たる燃料の専焼（第１モード）、主たる燃料及び複数の副たる燃料の混焼（第２モード）、並びに副たる各燃料の専焼（第３〜第ｎ＋２モード）の多モードの切換による燃焼制御を行う請求項１〜４のいずれかに記載の燃焼制御方法。
【請求項６】
主たる燃料を燃焼させて起動し、主たる燃料と副たる燃料を燃焼させる燃焼装置の燃焼状態を制御する装置において、
主たる燃料を燃焼装置に供給する主たる燃料供給・遮断手段及び主たる燃料の供給量を調整する主たる燃料流量制御手段を有する主たる燃料供給ラインと、
副たる燃料を燃焼装置に供給する副たる燃料供給・遮断手段及び副たる燃料の供給量を調整する副たる燃料流量制御手段を有する副たる燃料供給ラインと、
主たる燃料供給・遮断手段、主たる燃料流量制御手段、副たる燃料供給・遮断手段及び副たる燃料流量制御手段に接続され、主たる燃料の専焼（第１モード）、主たる燃料及び副たる燃料の混焼（第２モード）、並びに副たる燃料の専焼（第３モード）の少なくとも３つの燃焼モードを切り換えて燃焼制御を行う燃焼モード切換制御手段と、を備えたことを特徴とする燃焼制御装置。
【請求項７】
副たる燃料がｎ（ｎ≧２）種類ある場合に、ｎ個の副たる燃料供給ラインを設けるとともに、主たる燃料の専焼（第１モード）、主たる燃料及び複数の副たる燃料の混焼（第２モード）、並びに副たる各燃料の専焼（第３〜第ｎ＋２モード）の多モードの燃焼モードを切り換える燃焼モード切換制御手段を設けた請求項６記載の燃焼制御装置。
【請求項８】
燃焼装置が、ボイラに設置された燃焼装置である請求項６又は７記載の燃焼制御装置。
【発明の詳細な説明】
【技術分野】
【０００１】
本発明は、ボイラ、炉等に設置された燃焼装置において燃料を燃焼させる際の燃焼制御方法及び装置に関するものである。
【背景技術】
【０００２】
化学製品などの生産過程から副産物として発生する副生燃料（副たる燃料）は、有効利用の要望が高まっている。しかしながら、副たる燃料は発生量が安定しない。このため、例えば、ボイラにて必要蒸気量を確保しようとする場合、不足分は主たる燃料である化石燃料で補い、主たる燃料と副たる燃料とを混焼（混合燃焼）させる方法が採られている。
【０００３】
この場合の燃焼制御として、従来は、主たる燃料の専焼（第１モード）と主たる燃料及び副たる燃料の混焼（第２モード）との２つの燃焼モードを切り換えることで、一例として、ボイラを用いた場合の蒸気（スチーム）需要に対応していた。
【０００４】
従来、燃焼制御装置の一例として、図３に示すものが知られている。図３において、ボイラ１０の起動（燃焼開始）は、「主たる燃料の専焼」（第１モード）で行う。自動制御手順に従って主たる燃料遮断弁１２を開き着火する。そして、ボイラ１０が所定の圧力（常用圧力）に達すると、ボイラ１０の圧力が一定になるように主たる燃料流量制御弁１４を開閉する。その燃料を燃焼させるのに必要な空気量になるように、燃焼用空気操作器１６を介して燃焼用空気ダンパ１８を開閉し、適量の空気をバーナ２０に送る。２２はボイラ圧力発信器、２４はボイラ圧力調節計である。
【０００５】
その後、副たる燃料が供給状態になると、副たる燃料流量指令計３０により副たる燃料量を手動又は自動で設定する。そして、制御盤２６のモード切換スイッチ２８を「主たる燃料の専焼」から「主たる燃料と副たる燃料の混焼」に切り換え、「主たる燃料と副たる燃料の混焼」（第２モード）とする。自動制御手順に従って副たる燃料遮断弁３２を開き燃焼を継続しながら混焼燃焼を開始する。副たる燃料流量調節計３４と主たる燃料流量調節計３６にて演算、制御してドラム圧力（ボイラ圧力）が一定になるように自動制御する。３８は副たる燃料流量制御弁、４０は主たる燃料流量計、４２は副たる燃料流量計である。なお、燃焼を継続しながら主たる燃料の専焼にする場合は、これを逆の手順で行う。
【０００６】
そして、図４は従来の燃焼制御方法における制御フローの一例を示している。図４において、主たる燃料の専焼（第１モード）と主たる燃料及び副たる燃料の混焼（第２モード）との燃焼モードの切換は、例えば、次のように行う。すなわち、副たる燃料が存在する場合は混焼（第２モード）に切り換え、副たる燃料が存在しなくなると専焼（第１モード）に切り換える。副たる燃料の存在は、例えば、副たる燃料が貯留されるタンクの液位、圧力により検知し、手動又は自動的に燃焼モードを切り換える。
【０００７】
また、下記の特許文献１には、バイオガス混合燃料を用いる燃焼装置において安定した燃焼を確保するために、標準燃料（主燃料）とバイオガス（副燃料）の混合燃料又は標準燃料（主燃料）の流量を多段階の燃焼モードに応じて制御する燃焼装置が開示されている。下記の特許文献１の技術では、副たる燃料であるバイオガスの専焼モードは存在しない。
【先行技術文献】
【特許文献】
【０００８】
【特許文献１】特開２０１１−２４７５５４号公報
【発明の概要】
【発明が解決しようとする課題】
【０００９】
従来の燃焼制御では、主たる燃料と副たる燃料の燃焼において、主たる燃料の専焼（第１モード）と主たる燃料及び副たる燃料の混焼（第２モード）との２つの燃焼モードでの制御しか行うことができなかった。このため、例えば、ボイラを用いた場合に、副たる燃料だけで蒸気需要をまかなえるときでも、化石燃料である主たる燃料を使用することになっていた。さらに、副たる燃料が１種類ではなく複数種類の場合においても、主たる燃料及び複数の副たる燃料の混焼による燃焼制御しかできなかった。
【００１０】
本発明が解決しようとする問題点は、例えば、ボイラを用いた場合に、副たる燃料だけで蒸気需要をまかなえるときでも、主たる燃料の専焼（第１モード）と主たる燃料及び副たる燃料の混焼（第２モード）との２つの燃焼モードでの制御しか行うことができないために、主たる燃料である高価な化石燃料を使用しなければならず、安価な副たる燃料を有効に使用することができないという点である。
【課題を解決するための手段】
【００１１】
本発明は、一例として、ボイラの燃焼制御において、副たる燃料だけで蒸気需要をまかなえる場合に、高価な主たる燃料を使用することなく安価な副たる燃料を有効に使用することができる燃焼制御方法及び装置を提供するために、主たる燃料と副たる燃料の燃焼において、主たる燃料の専焼（第１モード）と主たる燃料及び副たる燃料の混焼（第２モード）に加えて、副たる燃料の専焼（第３モード）等の付加による少なくとも３つの燃焼モードでの制御を行うことを最も主要な特徴とする。
【００１２】
本発明の燃焼制御方法は、主たる燃料を燃焼させて起動し、主たる燃料と副たる燃料を燃焼させる燃焼装置の燃焼状態を制御する方法において、主たる燃料の専焼（第１モード）、主たる燃料及び副たる燃料の混焼（第２モード）、並びに副たる燃料の専焼（第３モード）の少なくとも３つの燃焼モードの切換による燃焼制御を行うことを特徴としている。
【００１３】
上記の方法において、第１モードから第２モードへ切り換える際は、副たる燃料が存在する場合に、副たる燃料を供給して主たる燃料との混焼に燃焼を継続しながら切り換え、第２モードから第１モードへ切り換える際は、副たる燃料が存在しなくなった場合に、主たる燃料の専焼に燃焼を継続しながら切り換えることができる。また、上記の方法において、第２モードから第３モードへ切り換える際は、副たる燃料だけで制御が可能な状態になった場合に、主たる燃料を遮断して副たる燃料の専焼に燃焼を継続しながら切り換え、第３モードから第２モードへ切り換える際は、副たる燃料だけで制御が不可能な状態になった場合に、主たる燃料を供給して副たる燃料との混焼に燃焼を継続しながら切り換えることができる。
【００１４】
また、これらの方法において、燃焼モードを切り換える際は、主たる燃料を漸増させながら副たる燃料を漸減させたり、主たる燃料を漸減させながら副たる燃料を漸増させたりして、熱量の変化が連続的になるようにすることが好ましい。燃料が漸増・漸減的に変わる制御を行わないと、専焼と混焼のモード切換時は熱量が断続的に変わる。一方、どの燃焼モードにおいても、必要な熱量が自動制御により連続的に変わることが好ましい。例えば、主たる燃料の専焼（第１モード）から主たる燃料及び副たる燃料の混焼（第２モード）に切り換えるときは、切換信号入力に際して、主たる燃料を漸減しながら、副たる燃料を漸増して、熱量の変化が連続的になるようにする。
【００１５】
また、これらの方法において、副たる燃料がｎ（ｎ≧２）種類ある場合に、主たる燃料の専焼（第１モード）、主たる燃料及び複数の副たる燃料の混焼（第２モード）、並びに副たる各燃料の専焼（第３〜第ｎ＋２モード）の多モードの切換による燃焼制御を行うことができる。なお、副たる燃料としては、例えば、工場等の生産過程から副産物として発生する水素、ＣＯＧ（コークス炉ガス）、バイオマスにより発生したガスなどの副生ガス、及び植物油、動物油、溶剤などの副生油等を用いることができる。
【００１６】
本発明の燃焼制御装置は、主たる燃料を燃焼させて起動し、主たる燃料と副たる燃料を燃焼させる燃焼装置の燃焼状態を制御する装置において、主たる燃料を燃焼装置に供給する主たる燃料供給・遮断手段及び主たる燃料の供給量を調整する主たる燃料流量制御手段を有する主たる燃料供給ラインと、副たる燃料を燃焼装置に供給する副たる燃料供給・遮断手段及び副たる燃料の供給量を調整する副たる燃料流量制御手段を有する副たる燃料供給ラインと、主たる燃料供給・遮断手段、主たる燃料流量制御手段、副たる燃料供給・遮断手段及び副たる燃料流量制御手段に接続され、主たる燃料の専焼（第１モード）、主たる燃料及び副たる燃料の混焼（第２モード）、並びに副たる燃料の専焼（第３モード）の少なくとも３つの燃焼モードを切り換えて燃焼制御を行う燃焼モード切換制御手段と、を備えたことを特徴としている。
【００１７】
上記の装置において、副たる燃料がｎ（ｎ≧２）種類ある場合に、ｎ個の副たる燃料供給ラインを設けるとともに、主たる燃料の専焼（第１モード）、主たる燃料及び複数の副たる燃料の混焼（第２モード）、並びに副たる各燃料の専焼（第３〜第ｎ＋２モード）の多モードの燃焼モードを切り換える燃焼モード切換制御手段を設けた構成とすることができる。また、これらの装置において、燃焼装置としては、ボイラに設置された燃焼装置を用いることができるが、他の炉の燃焼装置も、勿論、用いることができる。
【発明の効果】
【００１８】
本発明の燃焼制御方法及び装置は、副たる燃料だけで制御が可能な状態である場合に、高価な主たる燃料を使用しないで済むので、安価な副たる燃料を有効に使用することができる。例えば、ボイラの燃焼制御において、副たる燃料だけで蒸気（スチーム）需要をまかなえる場合に、高価な主たる燃料をまったく使用することなく、安価な副たる燃料を有効利用することができるので、生産コストを低減することができる。
【００１９】
本発明の燃焼方式では、通常において、主たる燃料は外部より購入する化石燃料であり、副たる燃料は設置場所において生産活動により副生的に発生する燃料（以下、「副生燃料」という。）である。副生燃料は、外部販売もできるが化石燃料に比べると安価である。このため、副生燃料により蒸気需要がまかなえる場合においては、化石燃料をまったく使用することなく、生産コストを低減することができる。
【００２０】
また、燃焼モードを切り換える際に、燃料が漸増・漸減的に変わるように制御する場合は、熱量が断続的に変化することなく、熱量の変化が連続的になるので、安定的に燃焼制御をすることができる。
【図面の簡単な説明】
【００２１】
【図１】図１は本発明の燃焼制御装置の構成の一例を示す説明図である。
【図２】図２は本発明の燃焼制御方法における制御フローの一例を示す説明図である。
【図３】図３は従来の燃焼制御装置の構成の一例を示す説明図である。
【図４】図４は従来の燃焼制御方法における制御フローの一例を示す説明図である。
【発明を実施するための形態】
【００２２】
主たる燃料と副たる燃料を燃焼させるボイラ等の燃焼制御において、副たる燃料だけで蒸気需要をまかなえる場合に、高価な主たる燃料を使用することなく安価な副たる燃料を有効に使用することができる燃焼制御方法及び装置を提供するという目的を、主たる燃料の専焼（第１モード）と主たる燃料及び副たる燃料の混焼（第２モード）に加えて、副たる燃料の専焼（第３モード）等の付加による少なくとも３つの燃焼モードでの制御を行うことにより実現した。
【実施例１】
【００２３】
以下、本発明の実施の形態について図面に基づいて説明するが、本発明は下記の実施の形態に何ら限定されるものではなく、適宜変更して実施できるものである。例えば、下記の実施形態では、ボイラに設置された燃焼装置について説明しているが、焼却炉、燃焼炉、吸収式冷凍機等、ボイラ以外の機器に設置された燃焼装置に対しても本発明を適用できることは言うまでもない。
【００２４】
図１は、本発明の実施の第１形態における燃焼制御装置を示している。本実施の形態は、一例として、下記のような３モードの切換による燃焼制御を行うものである。主たる燃料供給ライン４４には、主たる燃料供給・遮断手段として制御盤６６等に接続された主たる燃料遮断弁５２、主たる燃料流量制御手段として主たる燃料流量調節計７６等に接続された主たる燃料流量制御弁５４が設けられている。また、副たる燃料供給ライン４６には、副たる燃料供給・遮断手段として制御盤６６等に接続された副たる燃料遮断弁７２、副たる燃料流量制御手段として副たる燃料流量調節計７４等に接続された副たる燃料流量制御弁７８が設けられている。そして、主たる燃料の専焼（第１モード）、主たる燃料及び副たる燃料の混焼（第２モード）、並びに副たる燃料の専焼（第３モード）の３つの燃焼モードを切り換えて燃焼制御を行う燃焼モード切換制御手段として、モード切換スイッチ６８、副たる燃料流量指令計７０、副たる燃料流量調節計７４、主たる燃料流量調節計７６、２入力接点切換器８４等を備えた制御盤６６が設けられている。
【００２５】
図１において、ボイラ５０の起動（燃焼開始）は、「主たる燃料の専焼」（第１モード）で行う。自動制御手順に従って主たる燃料遮断弁５２を開き着火する。そして、ボイラ５０が所定の圧力（常用圧力）に達すると、ボイラ５０の圧力が一定になるように主たる燃料流量制御弁５４を開閉する。その燃料を燃焼させるのに必要な空気量になるように、燃焼用空気操作器５６を介して燃焼用空気ダンパ５８を開閉し、適量の空気をバーナ６０に送る。ボイラ５０の圧力は、圧力信号をボイラ圧力発信器６２からボイラ圧力調節計６４に送信し、ボイラ圧力調節計６４から燃料流量信号やダンパ開閉信号として発信することで一定に保たれる。また、主たる燃料流量計８０から主たる燃料流量調節計７６へ主たる燃料流量をフィードバック信号として送ることで、主たる燃料流量指示との偏差がなくなるように制御を行う。なお、ボイラとしては、例えば、炉筒煙管ボイラ、水管ボイラ、貫流ボイラ等を用いることができる。
【００２６】
その後、副たる燃料が供給状態になると、副たる燃料流量指令計７０により副たる燃料量を手動又は自動で設定する。そして、制御盤６６のモード切換スイッチ６８を「主たる燃料の専焼」から「主たる燃料と副たる燃料の混焼」に切り換え、「主たる燃料と副たる燃料の混焼」（第２モード）とする。自動制御手順に従って副たる燃料遮断弁７２を開き燃焼を継続しながら混焼燃焼を開始する。副たる燃料流量調節計７４と主たる燃料流量調節計７６にて演算、制御してドラム圧力（ボイラ圧力）が一定になるように自動制御する。混焼燃焼の制御としては、一例として、副たる燃料を燃焼させながら主たる燃料による燃焼を自動制御する。この際、副たる燃料流量調節計７４から主たる燃料流量調節計７６へ副たる燃料流量信号を送信し、副たる燃料流量の熱量を減算することで、主たる燃料流量を制御する。また、主たる燃料流量計８０から主たる燃料流量調節計７６へ主たる燃料流量をフィードバック信号として送ることで、主たる燃料流量指示との偏差がなくなるように制御を行うとともに、副たる燃料流量計８２から副たる燃料流量調節計７４へ副たる燃料流量をフィードバック信号として送ることで、副たる燃料流量指示との偏差がなくなるように制御を行う。なお、主たる燃料としては、化石燃料、例えば、都市ガス等を用いることができる。副たる燃料としては、一例として、化学製品などの生産過程から副産物として発生する副生水素等を用いることができる。
【００２７】
そして、例えば、副たる燃料にて蒸気需要がまかなえる場合は、制御盤６６のモード切換スイッチ６８を「主たる燃料と副たる燃料の混焼」から「副たる燃料の専焼」に切り換える。自動制御手順に従って主たる燃料遮断弁５２を閉じて主たる燃料の供給を止め、燃焼を継続しながら「副たる燃料の専焼」（第３モード）とする。そして、副たる燃料量の指令を副たる燃料流量指令計７０から２入力接点切換器８４に入力し、２入力接点切換器８４により「副たる燃料流量信号」に信号を切り換えて、副たる燃料流量調節計７４にて演算、制御して副たる燃料流量制御弁７８を開閉し、ドラム圧力（ボイラ圧力）が一定になるように自動制御する。このように、主たる燃料による自動制御から副たる燃料による自動制御に切り換える。
【００２８】
以上が新たな３モード制御の一例である。これにより、副たる燃料だけで蒸気需要をまかなえる場合等に、高価な主たる燃料をまったく使用することなく、安価な副たる燃料を有効利用することができる。なお、燃焼を継続しながら主たる燃料の専焼にする場合は、段落［００２６］及び［００２７］に記載された手順を逆の手順で行えばよい。また、本実施の形態のような３モード制御の場合、「副たる燃料の専焼」（第３モード）においてもボイラの起動（燃焼開始）が可能である。
【００２９】
そして、図２は本発明の燃焼制御方法における制御フローの一例を示している。図２において、まず、主たる燃料の専焼（第１モード）と主たる燃料及び副たる燃料の混焼（第２モード）との燃焼モードの切換は、例えば、次のように行う。すなわち、副たる燃料が存在する場合は混焼（第２モード）に切り換え、副たる燃料が存在しなくなると専焼（第１モード）に切り換える。副たる燃料の存在は、例えば、副たる燃料が貯留されるタンクの液位、圧力により検知し、手動又は自動的に燃焼モードを切り換える。
【００３０】
つぎに、主たる燃料及び副たる燃料の混焼（第２モード）と副たる燃料の専焼（第３モード）との燃焼モードの切換は、例えば、次のように行う。すなわち、何らかの副たる燃料の存在だけで自動制御が可能な状態になった場合（例えば、副たる燃料である副生水素だけで蒸気需要がまかなえる場合など）は、主たる燃料を遮断して副たる燃料の専焼（第３モード）に切り換える。そして、副たる燃料だけで自動制御が不可能な状態になった場合（例えば、副たる燃料である副生水素だけでは蒸気需要がまかなえなくなった場合など）は、主たる燃料を供給して副たる燃料との混焼（第２モード）に切り換える。副たる燃料だけで自動制御が可能かどうかは、例えば、ボイラ負荷により判断し、手動又は自動で燃焼モードを切り換える。
【００３１】
また、本発明の実施の第１形態において、制御盤６６のモード切換スイッチ６８により燃焼モードを切り換える際は、どのモード切換においても必要な熱量が自動制御により連続的に変わることが望ましい。そこで、図１に示す装置においては、断続的に熱量が変わらず、漸増・漸減的に熱量が変わる制御とすることが好ましい。具体的には、主たる燃料を漸増させながら副たる燃料を漸減させたり、主たる燃料を漸減させながら副たる燃料を漸増させたりすることになる。
【００３２】
例えば、主たる燃料の専焼（第１モード）から主たる燃料及び副たる燃料の混焼（第２モード）に切り換えるときは、切換信号入力に際して、主たる燃料流量調節計７６等に接続された主たる燃料流量制御弁５４の開閉により主たる燃料を漸減しながら、副たる燃料流量調節計７４等に接続された副たる燃料流量制御弁７８の開閉により副たる燃料を漸増して、熱量の変化が連続的になるようにする。同様に、主たる燃料及び副たる燃料の混焼（第２モード）から副たる燃料の専焼（第３モード）に切り換えるときは、切換信号入力に際して、主たる燃料流量調節計７６等に接続された主たる燃料流量制御弁５４の開閉により主たる燃料を漸減しながら、副たる燃料流量調節計７４等に接続された副たる燃料流量制御弁７８の開閉により副たる燃料を漸増して、熱量の変化が連続的になるようにする。
【実施例２】
【００３３】
本発明の実施の第２形態は、図１に示すような装置において、副たる燃料が１種類ではなく複数種類、一例として、２種類ある場合に、下記のような４モードの切換による燃焼制御を行うものである。なお、副たる燃料が３種類以上の場合にも本発明を適用できることは言うまでもない。本実施の形態は、例えば、ボイラの燃焼制御において、各々の副たる燃料だけで蒸気需要がまかなえる場合に適用することができる。
【００３４】
具体的には、副たる燃料が２種類ある場合、２個の副たる燃料供給ラインを設けるとともに、主たる燃料の専焼（第１モード）、主たる燃料及び複数の副たる燃料の混焼（第２モード）、並びに副たる各燃料の専焼（第３モード、第４モード）の４つの燃焼モードを切り換えて燃焼制御を行う燃焼モード切換制御手段として、モード切換スイッチ、２個の副たる燃料流量指令計、２個の副たる燃料流量調節計、主たる燃料流量調節計等を備えた制御盤を設ける。２種類の副たる燃料としては、一例として、工場等の生産過程から副産物として発生する水素とバイオマスにより発生したガス（２種類の副生ガス）を用いることができる。なお、その他にも、ＣＯＧ（コークス炉ガス）などの副生ガス、及び植物油、動物油、溶剤などの副生油等を用いることができる。
【００３５】
本実施の形態のような構成とすることにより、各々の副たる燃料だけで蒸気需要をまかなえる場合等に、高価な主たる燃料をまったく使用することなく、安価な副たる燃料を各々有効利用することができる。他の構成及び作用等は、実施の第１形態の場合と同様である。
【産業上の利用可能性】
【００３６】
主たる燃料と副たる燃料を燃焼させるボイラ等の燃焼制御において、主たる燃料の専焼（第１モード）と主たる燃料及び副たる燃料の混焼（第２モード）に加えて、副たる燃料の専焼（第３モード）等の付加による少なくとも３つの燃焼モードでの制御を行うことにより、副たる燃料だけで蒸気需要をまかなえる場合に、高価な主たる燃料をまったく使用することなく、安価な副たる燃料を有効に使用することができる。
【符号の説明】
【００３７】
１０、５０  ボイラ
１２、５２  主たる燃料遮断弁
１４、５４  主たる燃料流量制御弁
１６、５６  燃焼用空気操作器
１８、５８  燃焼用空気ダンパ
２０、６０  バーナ
２２、６２  ボイラ圧力発信器
２４、６４  ボイラ圧力調節計
２６、６６  制御盤
２８、６８  モード切換スイッチ
３０、７０  副たる燃料流量指令計
３２、７２  副たる燃料遮断弁
３４、７４  副たる燃料流量調節計
３６、７６  主たる燃料流量調節計
３８、７８  副たる燃料流量制御弁
４０、８０  主たる燃料流量計
４２、８２  副たる燃料流量計
４４  主たる燃料供給ライン
４６  副たる燃料供給ライン
８４  ２入力接点切換器
【図１】
2015148377.tif 000003
【図２】
2015148377.tif 000004
【図３】
2015148377.tif 000005
【図４】
2015148377.tif 000006